(57)【要約】【課題】この発明は、発電のための作業負荷を軽減できるとともに、迅速に発電できる非常用操作電源装置を得る。【解決手段】非常用操作電源装置は、ハウジングと、上記ハウジング内に設置された手動発電機と、上記ハウジング内に設置され、上記手動発電機で発電された電力を蓄電する蓄電部と、上記手動発電機を回転操作して発電させる操作部と、を備える。上記操作部は、上記手動発電機に直結された入力軸と、軸方向を上記入力軸と平行として、上記入力軸にトルク伝達可能に配置された伝達歯車と、上記伝達歯車に固定され、上記伝達歯車から径方向外方に突出する変換レバーと、上記入力軸と平行な第１軸周りに回動可能に配置された足踏みレバーと、上記足踏みレバーの回動トルクを上記変換レバーに伝達するリンク機構と、を備える。【選択図】図１
2020150616.tif 000002
【特許請求の範囲】
【請求項１】
ハウジングと、
上記ハウジング内に設置された手動発電機と、
上記ハウジング内に設置され、上記手動発電機で発電された電力を蓄電する蓄電部と、
上記手動発電機を回転操作して発電させる操作部と、を備え、
上記操作部は、
上記手動発電機に直結された入力軸と、
軸方向を上記入力軸と平行として、上記入力軸にトルク伝達可能に配置された伝達歯車と、
上記伝達歯車に固定され、上記伝達歯車から径方向外方に突出する変換レバーと、
上記入力軸と平行な第１軸周りに回動可能に配置された足踏みレバーと、
上記足踏みレバーによる回転トルクを上記変換レバーに伝達するリンク機構と、を備える非常用操作電源装置。
【請求項２】
上記操作部は、
上記変換レバーの突出端部と上記リンク機構とが、上記入力軸と平行な第２軸周りに回転可能に連結されており、
第１端部が上記変換レバーの突出端部と上記リンク機構との連結部に接続され、第２端部が上記ハウジングに接続された引っ張りばねと、
上記リンク機構に装着された復帰ばねと、をさらに備え、
上記足踏みレバーの踏み込みにより、上記連結部が上記伝達歯車の軸心を中心とする円軌道上を下死点側に移動して、上記復帰ばねを収縮させ、
上記連結部が上記円軌道上の下死点を超えると、上記復帰ばねが伸長して上記足踏みレバーが上記復帰ばねの弾性力により押し上げられて、上記連結部が上記円軌道上の上死点側に移動し、
上記連結部が上記円軌道上の上死点に到達すると、上記連結部が上記引っ張りばねの弾性力により上記円軌道上の上死点を乗り越えるように構成されている請求項１記載の非常用操作電源装置。
【請求項３】
上記リンク機構は、第１リンクと、第２リンクと、上記入力軸と平行な第３軸と、を有し、
上記第２リンクは、上記第２リンクの長さ方向に延びるガイド穴を有し、
上記第３軸は、上記ガイド穴に通されており、
上記第１リンクの第１端部は、上記連結部で上記変換レバーの突出端部に上記第２軸周りに回転可能に連結され、
上記第２リンクの第１端部は、上記足踏みレバーの下方の位置で上記ハウジングに上記入力軸と平行な第４軸周りに回動可能に連結され、
上記第３軸の第１端部は、上記第１リンクの第２端部に回転可能に連結され、
上記第３軸の第２端部は、上記足踏みレバーに回動可能に連結され、
上記復帰ばねは、上記足踏みレバーを上方に押し上げる弾性力を有するように上記第２リンクに装着されている請求項２記載の非常用操作電源装置。
【請求項４】
カウンターウェイトが上記変換レバーに装着されている請求項１から請求項３のいずれか１項に記載の非常用操作電源装置。
【請求項５】
上記手動発電機に直結された駆動軸をさらに備え、
上記駆動軸は、電動工具が装着可能となっている請求項１から請求項４のいずれか１項に記載の非常用操作電源装置。
【請求項６】
上記足踏みレバーは、第１端部を上記第１軸に回動可能に取り付けられた固定レバーと、上記固定レバーの第２端部側に着脱可能に取り付けられた延長レバーと、を備える請求項１から請求項５のいずれか１項に記載の非常用操作電源装置。
【請求項７】
上記ハウジングがキャスター付き台車の取り付けられている請求項１から請求項６のいずれか１項に記載の非常用操作電源装置。
【発明の詳細な説明】
【技術分野】
【０００１】
この発明は、例えば、電動操作方式開閉器、電磁操作方式開閉器などの操作電源が喪失状態になったときに使用する非常用操作電源装置に関するものである。
【背景技術】
【０００２】
モータを用いて開閉操作を行う電動操作方式開閉器および電磁コイルを用いて開閉操作する電磁操作方式開閉器においては、モータの駆動、電磁コイル励磁用コンデンサの充電、およびそれらを制御する制御回路の動作のための電力供給用としての操作電源が必要であった。そのため、操作電源の喪失時には、これらの開閉器は操作不能となる。
【０００３】
このような状況を鑑み、手動発電機からなる発電部と、発電部で発生された電力を蓄えるコンデンサと、を備えた従来の非常用操作電源装置が提案されていた（例えば、特許文献１参照）。
【先行技術文献】
【特許文献】
【０００４】
【特許文献１】特開２００８−２７７１４０号公報
【発明の概要】
【発明が解決しようとする課題】
【０００５】
従来の非常用操作電源装置では、手動発電機の発電用の操作ハンドルを手回しで操作していた。そこで、発電機を発電させる作業負荷が増大するという課題があった。また、コンデンサが大容量である場合には、コンデンサの充電に要する時間が長くなるので、操作電源の喪失時に迅速に対応できないという課題もあった。
【０００６】
この発明は、上記の課題を解決するためになされたものであり、発電のための作業負荷を軽減できるとともに、迅速に発電できる非常用操作電源装置を得ることを目的とする。
【課題を解決するための手段】
【０００７】
この発明による非常用操作電源装置は、ハウジングと、上記ハウジング内に設置された手動発電機と、上記ハウジング内に設置され、上記手動発電機で発電された電力を蓄電する蓄電部と、上記手動発電機を回転操作して発電させる操作部と、を備える。上記操作部は、上記手動発電機に直結された入力軸と、軸方向を上記入力軸と平行として、上記入力軸にトルク伝達可能に配置された伝達歯車と、上記伝達歯車に固定され、上記伝達歯車から径方向外方に突出する変換レバーと、上記入力軸と平行な第１軸周りに回動可能に配置された足踏みレバーと、上記足踏みレバーによる回転トルクを上記変換レバーに伝達するリンク機構と、を備える。
【発明の効果】
【０００８】
この発明によれば、伝達歯車が手動発電機に直結された入力軸にトルク伝達可能に配置され、変換レバーが径方向外方に突出するように伝達歯車に固定されている。そして、足踏み操作による回転トルクが変換レバーに伝達されている。これにより、発電のための作業負荷が軽減されるとともに、迅速に発電ができる。
【図面の簡単な説明】
【０００９】
【図１】この発明の実施の形態１に係る非常用操作電源装置を示す斜視図である。
【図２】この発明の実施の形態１に係る非常用操作電源装置のカバーの一部を取り外した状態を示す斜視図である。
【図３】この発明の実施の形態１に係る非常用操作電源装置の発電操作を説明する側面図である。
【図４】この発明の実施の形態１に係る非常用操作電源装置の発電操作を説明する側面図である。
【図５】この発明の実施の形態２に係る非常用操作電源装置を示す斜視図である。
【図６】この発明の実施の形態２に係る非常用操作電源装置を示す正面図である。
【図７】この発明の実施の形態２に係る非常用操作電源装置を示す側面図である。
【図８】この発明の実施の形態２に係る非常用操作電源装置の足踏みレバーが分解された状態を示す斜視図である。
【図９】この発明の実施の形態２に係る非常用操作電源装置の足踏みレバーが分解された状態を示す上面図である。
【図１０】この発明の実施の形態２に係る非常用操作電源装置の足踏みレバーが分解された状態を示す側面図である。
【発明を実施するための形態】
【００１０】
実施の形態１．
図１は、この発明の実施の形態１に係る非常用操作電源装置を示す斜視図、図２は、この発明の実施の形態１に係る非常用操作電源装置のカバーの一部を取り外した状態を示す斜視図、図３および図４は、それぞれ、この発明の実施の形態１に係る非常用操作電源装置の発電操作を説明する側面図であり、図３は、足踏みペダルが上の状態を示し、図４は、足踏みペダルが下の状態を示している。
【００１１】
図１および図２において、非常用操作電源装置１００は、一側面を開口とする箱形の収納ケース１と、開口を塞ぐように収納ケース１に取り付けられるフレーム１９と、手動発電機２と、手動発電機２で発電された電力を蓄電する蓄電部である蓄電用コンデンサ３と、リレー回路４と、電源装置を使用しない場合に、安全のために蓄電用コンデンサ３を放電させておくための抵抗器１０と、手動発電機２の回転軸を回転操作して発電させる操作部と、を備えている。収納ケース１とフレーム１９とが、非常用操作電源装置１００のハウジングを構成する。
【００１２】
手動発電機２には、発電機入力軸５および駆動軸６が、手動発電機２の回転軸に回転トルクを伝達可能に設けられている。そこで、手動発電機２は、発電機入力軸５および駆動軸６から伝達される回転トルクにより駆動される。発電機入力軸５は、手動発電機２の回転軸と同軸に配置されている。駆動軸６は、軸方向が手動発電機２の回転軸と直交するように配置されている。手動発電機２は、駆動軸６を収納ケース１の前面に向けて、発電機入力軸５を収納ケース１の開口に向けて、収納ケース１内に設けられている。
【００１３】
収納ケース１の上面には、非常用操作電源装置１００の搬送を容易とするためのキャリングハンドル８が設けられている。収納ケース１の前面には、他の機器に電力を供給するための出力コネクタ９およびセレクタスイッチ１１が設けられている。収納ケース１の前面には、駆動軸６に臨むように外部動力直結操作口２１が設けられている。これにより、外部から電動工具を駆動軸６に装着可能となっている。
【００１４】
ここで、手動発電機２の操作部の構成について図１から図４を用いて説明する。
【００１５】
操作部は、発電機入力軸５、駆動軸６、伝達歯車７、変換レバー１２、足踏みペダル１６、足踏みレバー１５、リンク機構、引っ張りばね１４、復帰ばね１８などを備える。
【００１６】
伝達歯車７は、軸方向を発電機入力軸５の軸方向と平行として発電機入力軸５と歯合するように収納ケース１内に設けられている。これにより、伝達歯車７は、発電機入力軸５にトルク伝達可能となっている。伝達歯車７は、図示していないが、ワンウェイクラッチが装着されており、図３および図４中時計回りにのみ回転可能となっている。変換レバー１２は、伝達歯車７に固定され、伝達歯車７から径方向外方に突出するように収納ケース１内に設けられている。これにより、変換レバー１２は、伝達歯車７と一体に回転する。
【００１７】
フレーム１９には、軸方向を発電機入力軸５と平行とする固定回動軸３２，３４が設けられている。第１軸としての固定回動軸３２は、発電機入力軸５および伝達歯車７より下方に位置している。第４軸としての固定回動軸３４は、固定回動軸３２より下方に位置している。
【００１８】
足踏みレバー１５は、発電機入力軸５が向けられた収納ケース１の開口の外側に設けられている。そして、足踏みレバー１５は、第１端部側がフレーム１９内に位置し、第２端部側がフレーム１９の前面に開けられた開口１９ａから突出している。足踏みレバー１５の第１端部は、固定回動軸３２に回動可能に連結されている。足踏みペダル１６は、足踏みレバー１５の第２端部に取り付けられている。これにより、足踏みペダル１６の踏み込みおよび踏み込み解除の操作により、足踏みレバー１５は、固定回動軸３２を回転中心として揺動する。
【００１９】
リンク機構は、収納ケース１内に設けられた第１リンク１３と、フレーム１９内に設けられた第２リンク１７と、を備える。第１リンク１３の第１端部は、発電機入力軸５と平行な第２軸としての移動回動軸３０周りに回転可能に変換レバー１２の突出端部に連結されている。第１リンク１３の第２端部は、発電機入力軸５と平行な第３軸としての移動回動軸３３周りに回転可能に足踏みレバー１５の中間部に連結されている。第２リンク１７の第１端部は、固定回動軸３４に回転可能に連結されている。第２リンク１７には、ガイド穴２２が第２リンク１７の長さ方向に延びるように形成されている。移動回動軸３３は、ガイド穴２２を貫通して延びており、第１端部が第１リンク１３の第２端部に回転可能に連結され、第２端部が足踏みレバー１５に観点可能に連結されている。そこで、固定回動軸３２を中心とする足踏みレバー１５の揺動動作により、移動回動軸３３がガイド穴２２内をスライド移動する。これにより、第２リンク１７は、固定回動軸３４を中心として揺動する。
【００２０】
引っ張りばね１４は、第１端部が変換レバー１２の突出端部と第１リンク１３の第１端部との連結部に接続され、第２端部が収納ケース１に接続されている。引っ張りばね１４は、自然長より長い状態で設置されており、縮もうとする弾性力が発生している。ここで、引っ張りばね１４が接続される変換レバー１２の突出端部と第１リンク１３の第１端部との連結部とは、変換レバー１２の突出端部、第１リンク１３の第１端部、移動回動軸３０のいずれかである。
【００２１】
復帰ばね１８は、第２リンク１７を内部に通すように第２リンク１７に装着されている。復帰ばね１８は、第２リンク１７の第１端部側に設けられた突起部２３と足踏みレバー１５との間に、自然長より短い状態で設置されており、伸びようとする弾性力が発生している。
【００２２】
このように構成された非常用操作電源装置１００では、初期状態の変換レバー１２は、図３中、円軌道Ａ上の上死点から時計回りに僅かに回転した位置に位置している。このとき、引っ張りばね１４の弾性力は、図３中、変換レバー１２を時計回り回転させるように作用している。復帰ばね１８の弾性力は、図３中、変換レバー１２を反時計回り回転させるように作用している。初期状態では、変換レバー１２に作用する引っ張りばね１４の弾性力と復帰ばね１８の弾性力とがつり合っている。
【００２３】
非常用操作電源装置１００を動作させるには、まず、セレクタスイッチ１１を操作して、蓄電用コンデンサ３と抵抗器１０とを切り離す。ついで、作業者が、足踏みペダル１６の踏み込み／踏み込み解除の操作を繰り返す。
【００２４】
足踏みペダル１６が踏み込まれると、移動回動軸３３がガイド穴２２に案内されて固定回動軸３４側に移動する。足踏みレバー１５は、図３中、固定回動軸３２を中心として反時計回りに回動する。第２リンク１７は、図３中、固定回動軸３４を中心として反時計回りに回動する。これにより、変換レバー１２と第１リンク１３とを連結する移動回動軸３０は、図３中、伝達歯車７の軸心を中心とする円軌道Ａ上を初期状態の位置から時計回りに移動する。そして、移動回動軸３３がガイド穴２２の固定回動軸３４側の端部に突き当たると、足踏みペダル１６のそれ以上の踏み込みが阻止される。これにより、足踏みレバー１５および第２リンク１７は、その反時計回りの回動が停止される。そして、リンク機構は、図４に示される状態となる。このとき、移動回動軸３０は、円軌道Ａ上の下死点に到達している。すなわち、足踏みペダル１６の踏み込み操作により、移動回動軸３０は、円軌道Ａ上を上死点から下死点まで移動する。
【００２５】
この踏み込み過程で、復帰ばね１８は収縮され、弾性力が増大する。そして、作業者による足踏みペダル１６の踏み込みが解除され、移動回動軸３０が円軌道Ａ上の下死点を超えると、復帰ばね１８に蓄積された弾性力が解き放される。そこで、復帰ばね１８は、伸長しながら、足踏みレバー１５を押し上げる。これにより、足踏みレバー１５は、図４中、固定回動軸３２を中心として時計回りに回動する。第２リンク１７は、図４中、固定回動軸３４を中心として時計回りに回動する。そして、移動回動軸３０は、円軌道Ａ上を下死点から上死点に向かって移動する。
【００２６】
移動回動軸３０が円軌道Ａ上の上死点に到達すると、引っ張りばね１４の弾性力が、移動回動軸３０を円軌道Ａ上の上死点を乗り越えさせるように作用する。そして、リンク機構は、図３の初期状態の位置に戻る。
【００２７】
このように、作業者が、足踏みペダル１６の踏み込み／踏み込み解除の操作を繰り返すことで、伝達歯車７が図３中時計回りに回転する。この回転トルクが、伝達歯車７から発電機入力軸５に伝達され、手動発電機２が駆動される。手動発電機２で発電された電力は、蓄電用コンデンサ３に蓄電される。蓄電用コンデンサ３に蓄電された電力は、出力コネクタ９に接続された電動操作方式開閉器、電磁操作方式開閉器などの開閉器に供給される。
【００２８】
実施の形態１による非常用操作電源装置１００では、足踏みレバー１５および足踏みペダル１６による足踏み操作により、手動発電機２を発電させている。そこで、非常用操作電源装置１００においては、操作ハンドルを手回しで操作して手動発電機を発電させていた特許文献１に比べて、発電作業負荷が著しく軽減される。さらに、非常用操作電源装置１００では、特許文献１に比べて、蓄電用コンデンサ３の充電に要する時間を大幅に短縮できる。これにより、電動操作方式開閉器、電磁操作方式開閉器などの開閉器において、操作電源が喪失した場合にも、迅速に対応できる。
【００２９】
変換レバー１２が、伝達歯車７から径方向外方に突出した状態で伝達歯車７に固定されている。そして、リンク機構の第１リンク１３が変換レバー１２の突出端部に移動回動軸３０周りに回動可能に連結されている。そこで、第１リンク１３が伝達歯車７に直接連結されている場合に比べて、非常用操作電源装置１００では、伝達歯車７の軸心から力が作用する移動回動軸３０までの距離が長くなり、伝達歯車７に作用するトルクを大きくすることができる。その結果、発電作業負荷を軽減しつつ、手動発電機２を高速で駆動でき、発電量を増大させることができる。さらに、変換レバー１２の長さを調整することで、任意のトルクを設定できるので、汎用性に優れた非常用操作電源装置１００を実現できる。
【００３０】
ここで、発電機入力軸５から変換レバー１２へのトルク伝達比を３６／３００に設定することを想定する。この場合、まず、発電機入力軸５から伝達歯車７へのトルク伝達比を１００／３００に変換する。ついで、伝達歯車７とのレバー比を３６／１００に設定した変換レバー１２を伝達歯車７に取り付ける。これにより、３６／３００のトルク伝達比を実現できる。一方、発電機入力軸５から伝達歯車７へのトルク伝達比を３６／３００に設定した場合には、大型の伝達歯車、又は複数段の歯車を用いることになる。このように、実施の形態１によれば、大型の伝達歯車、又は複数段の歯車を用いることなく目標のトルク伝達比を実現できるので、低コストが図られる。さらに、伝達歯車７の小型化が可能となり、装置の小型化が図られる。
【００３１】
復帰ばね１８は、円軌道Ａ上の下死点側への移動回動軸３０の移動時に収縮し、円軌道Ａ上の上死点側への移動回動軸３０の移動時に伸長して、足踏みレバー１５を押し上げるように構成されている。また、引っ張りばね１４は、円軌道Ａ上の上死点に到達した移動回動軸３０を上死点を乗り越えさせて初期位置に移動させるように構成されている。これにより、移動回動軸３０が円軌道Ａ上をスムーズに移動できるので、足踏み操作によるトルクが、リンク機構を介して伝達歯車７にスムーズに伝達される。
【００３２】
ガイド穴２２が、第２リンク１７の長さ方向に延びるように第２リンク１７に形成されている。第２リンク１７の第１端部が、足踏みレバー１５の下方に位置する固定回動軸３４周りに回動可能にフレーム１９に連結されている。第１リンク１３の第１端部は、変換レバー１２の突出端部に移動回動軸３０周りに回転可能に連結されている。移動回動軸３３は、ガイド穴２２に通されている。移動回動軸３３の第１端部は、第１リンク１３の第２端部に回転可能に連結され、第２端部は、足踏みレバー１５の中間部に回動可能に連結されている。復帰ばね１８は、足踏みレバー１５を上方に押し上げる弾性力を有するように第２リンク１７に装着されている。
【００３３】
そこで、足踏みレバー１５の踏み込み時に、足踏みレバー１５の固定回動軸３２を中心に下方への揺動にあわせて、第２リンク１７が固定回動軸３４を中心として揺動する。これにより、足踏みレバー１５は、固定回動軸３２を中心に下方にスムーズに揺動できる。また、復帰ばね１８の弾性力により足踏みレバー１５が押し上げられた時に、足踏みレバー１５の固定回動軸３２を中心に上方への揺動にあわせて、第２リンク１７が固定回動軸３４を中心として揺動する。これにより、足踏みレバー１５は、固定回動軸３２を中心に上方にスムーズに揺動できる。その結果、足踏み操作によるトルクが、リンク機構を介して伝達歯車７にスムーズに伝達される。
【００３４】
リンク機構は、移動回動軸３０が円軌道Ａ上の下死点に到達したときに、移動回動軸３３がガイド穴２２の固定回動軸３４側の端部に接し、足踏みレバー１５のそれ以上の回動が阻止されるようになっている。したがって、踏み込み過ぎによるリンク機構の損傷発生が抑制される。
【００３５】
リレー回路４は、蓄電用コンデンサ３の電圧変動対応のために設けられている。このリレー回路４による制御により、負荷が変動する。実施の形態１では、カウンターウェイト２０が変換レバー１２の先端に装着されているので、伝達歯車７のトルク変動を安定化させることができる。
【００３６】
手動発電機２に直結された駆動軸６を備え、収納ケース１の駆動軸６に臨むように外部動力直結操作口２１を設けている。そこで、ワンウェイクラッチを備えた連結工具を外部動力直結操作口２１から差し入れて駆動軸６に組み付ける。ついで、充電式電動工具を連結工具に組み付けることで、収納ケース１を外すことなく、手動発電機２を外部から直接駆動することができる。これにより、蓄電用コンデンサ３の充電の一層の迅速化が図られる。
【００３７】
実施の形態２．
図５は、この発明の実施の形態２に係る非常用操作電源装置を示す斜視図、図６は、この発明の実施の形態２に係る非常用操作電源装置を示す正面図、図７は、この発明の実施の形態２に係る非常用操作電源装置を示す側面図、図８は、この発明の実施の形態２に係る非常用操作電源装置の足踏みレバーが分解された状態を示す斜視図、図９は、この発明の実施の形態２に係る非常用操作電源装置の足踏みレバーが分解された状態を示す上面図、図１０は、この発明の実施の形態２に係る非常用操作電源装置の足踏みレバーが分解された状態を示す側面図である。
【００３８】
図５から図１０において、足踏みレバー１５Ａは、固定レバー４０と、延長レバー４１と、を備えている。固定レバー４０は、長さが短いことを除いて、足踏みレバー１５と同様に構成されている。固定レバー４０は、第１端部が固定回動軸３２に回動可能に連結され、中間部が移動回動軸３３に回転可能に連結されている。そして、固定レバー４０の第２端部がフレーム１９の開口１９ａから突出している。さらに、取付用穴４２が固定レバー４０の第２端部に形成されている。
【００３９】
延長レバー４１は、移動回動軸３３に嵌合する嵌合凹部４３を第１端部に備え、足踏みペダル１６が第２端部に装着されている。さらに、延長レバー４１の長さ方向の中間部には、固定レバー４０の第２端部が挿入される保持枠４４が形成されている。固定用穴４５が保持枠４４に形成されている。
【００４０】
収納ケース１およびフレーム１９からなるハウジングは、キャスター５１が付いた台車５０に取り付けられている。台車５０には、ストッパ５２が付いている。
【００４１】
実施の形態２による非常用操作電源装置１０１では、足踏みレバー１５Ａは、固定レバー４０と、延長レバー４１と、に分割されている。固定レバー４０は、第１端部が固定回動軸３２に回動可能に連結され、中間部が移動回動軸３３に回転可能に連結されている。延長レバー４１を固定レバー４０に取り付けるには、延長レバー４１の第１端部を開口１９ａから差し込み、嵌合凹部４３を移動回動軸３３に嵌合する。そして、足踏みレバー１５Ａの第２端部を保持枠４７内に挿入する。ついで、接続ピン４９を固定用穴３８と取付用穴４２とに差し込んで、延長レバー４１が足踏みレバー１５Ａに装着される。また、接続ピン４９を引き抜いて、延長レバー４１を足踏みレバー１５Ａから取り外せる。このように、延長レバー４１は、固定レバー４０に着脱可能に構成されている。
また、収納ケース１およびフレーム１９からなるハウジングは、キャスター５１を備える台車に５０に取り付けられている。
【００４２】
このように、実施の形態２による非常用操作電源装置１０１は、足踏みレバー１５Ａを用いている点を除いて、実施の形態１による非常用操作電源装置１００と同様に構成されている。したがって、実施の形態２においても、上記実施の形態１と同様の効果が得られる。
【００４３】
実施の形態２によれば、延長レバー４１が固定レバー４０に着脱可能に構成されている。そこで、非常用操作電源装置１０１の使用時には、延長レバー４１を固定レバー４０に装着して発電操作が行える。また、非常用操作電源装置１０１の不使用時には、延長レバー４１を取り外して、非常用操作電源装置１０１の不要な動作を防止することができる。
【００４４】
また、非常用操作電源装置１０１がキャスター５１を備える台車に５０に取り付けられているので、搬送が容易となる。そこで、非常用操作電源装置１０１の保管場所が電動操作方式開閉器、電磁操作方式開閉器などの開閉器から離れている場合でも、開閉器の設置場所に非常用操作電源装置１０１を速やかに移動できる。したがって、開閉器の操作電源が喪失した場合にも、迅速に対応できる。
また、ストッパ５２が付いているので、非常用操作電源装置１０１を定位置に固定できる。そこで、非常用操作電源装置１０１の安定した発電操作が行われる。
【００４５】
なお、上記各実施の形態では、非常用操作電源装置が電動操作方式開閉器、電磁操作方式開閉器などの開閉器の非常用電源装置として適用される場合について説明しているが、非常用操作電源装置は、他の機器の非常用電源装置として適用できることは言うまでもないことである。
【符号の説明】
【００４６】
１  収納ケース（ハウジング）、２  手動発電機、３  蓄電用コンデンサ（蓄電部）、５  発電機入力軸、６  駆動軸、７  伝達歯車（操作部）、１２  変換レバー（操作部）、１３  第１リンク（操作部、リンク機構）、１４  引っ張りばね（操作部）、１５，１５Ａ  足踏みレバー、１６  足踏みペダル、１７  第２リンク（操作部、リンク機構）、１８  復帰ばね（操作部）、１９  フレーム（ハウジング）、３０  移動回動軸（第２軸）、３２  固定回動軸（第１軸）、３３  移動回動軸（第３軸）、３４  固定回動軸（第４軸）、４０  固定レバー、４１  延長レバー、５０  台車、５１  キャスター、５２  ストッパ。
【図１】
2020150616.tif 000003
【図２】
2020150616.tif 000004
【図３】
2020150616.tif 000005
【図４】
2020150616.tif 000006
【図５】
2020150616.tif 000007
【図６】
2020150616.tif 000008
【図７】
2020150616.tif 000009
【図８】
2020150616.tif 000010
【図９】
2020150616.tif 000011
【図１０】
2020150616.tif 000012